(57)【要約】【課題】表面から記録層までの厚さが比較的近接している光ディスク媒体間でも、その判別精度を向上できる光ディスク装置を提供する。【解決手段】光ディスク媒体に記録された信号を読み取る光ディスク装置であって、対物レンズを光ディスク媒体面に対して相対移動させながら、光ディスク媒体面での表面反射と、表面反射に基づいて生じる偽信号と、光ディスク媒体のデータ記録層における反射光とを検出し、表面反射を検出した時点から、偽信号を検出するまでの第１時間と、表面反射を検出した時点からデータ記録層における反射光を検出するまでの第２時間との比に基づき、光ディスク媒体の種類を判別する。【選択図】図１
2008033984.tif 000002
【特許請求の範囲】
【請求項１】
光ディスク媒体に記録された信号を読み取る光ディスク装置であって、
複数の互いに異なる波長のうち、いずれか一つの波長の光を選択的に、一つの対物レンズを通じて光ディスクに照射し、光ディスクでの反射光に基づく信号を出力する光学ピックアップと、
前記光学ピックアップの対物レンズを、光ディスク媒体面に対して相対移動させる駆動部と、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、
前記表面反射を検出した時点から、前記偽信号を検出するまでの時点までの第１時間と、
前記表面反射を検出した時点から、前記データ記録層における反射光を検出した時点までの第２時間と、
の比に基づき、光ディスク媒体の種類を判別する制御部と、
を備えたことを特徴とする光ディスク装置。
【請求項２】
複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置の制御方法であって、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、
前記表面反射を検出した時点から、前記偽信号を検出するまでの時点までの第１時間と、
前記表面反射を検出した時点から、前記データ記録層における反射光を検出した時点までの第２時間と、
の比に基づき、光ディスク媒体の種類を判別し、当該判別の結果を出力する
ことを特徴とする光ディスク装置の制御方法。
【請求項３】
複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置を制御するコンピュータに、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出する手順と、
前記表面反射を検出した時点から、前記偽信号を検出するまでの時点までの第１時間と、前記表面反射を検出した時点から、前記データ記録層における反射光を検出した時点までの第２時間と、の比に基づき、光ディスク媒体の種類を判別する手順と、
当該判別の結果に基づく所定処理と、
を実行させることを特徴とする光ディスク装置。
【発明の詳細な説明】
【技術分野】
【０００１】
本発明は、ＣＤ−ＲＯＭ、ＣＤ−Ｒ、ＣＤ−ＲＷドライブや、ＤＶＤドライブ、Ｂｌｕ−Ｒａｙ  Ｄｉｓｃ（ブルーレイ・ディスク）ドライブ等を含む光ディスク装置、その制御方法及びプログラムに関する。
【背景技術】
【０００２】
近年では、多様な光ディスク媒体が開発され、目的に応じて使い分けられている。光ディスク媒体は一般に、複数の層を積層配置した構造を有している。具体的には、媒体の両表面に保護層を備え、データを記録した層を、これら保護層によって挟んでいる。
【０００３】
しかしながら光ディスク媒体自体の厚みや、保護層の表面からデータを記録した層の表面（信号面）までの距離、信号面の数（例えばＤＶＤでは、最大２層の信号面を有する）、さらに信号面からの情報の読み出しに用いるべきレーザー光の波長など、多くのパラメータが異なっている。
【０００４】
こうした事情によって、各光ディスク媒体ごとに専用のドライブを用いるのが一般的であった。しかしながら、各ディスク媒体ごとに専用のドライブを購入、設置しなければならないのでは、利用者は、各ドライブの操作に習熟しなければならず、また経済的負担も大きい。そこで、複数のタイプの媒体に対応できるドライブ（光ディスク装置）が求められており、こうしたドライブのために、媒体のタイプごとに読み出しに用いる光源（レーザー）の波長が異なっていることを利用して、波長選択特性を有する光学素子を用いて１つの対物レンズにてレンズ開口数を変化させる技術が開発されている。
【０００５】
このようなドライブのための光学ピックアップ１は、図７に例示するように、複数の波長のレーザー光を出力する発光素子１１と、ビームスプリッタ１２と、フォトディテクタ１３と、対物レンズ体１４とを含んで構成されている。また、対物レンズ体１４は、対物レンズ１４Ｌと、回折格子を含んだホログラム素子１４Ｈとを含んでなる。
【０００６】
発光素子１１は、例えば３つの互いに異なる波長のレーザー光を出力する半導体レーザー素子（いわゆる３波長レーザー）である。ここで３つの波長は、例えばブルーレイ・ディスクと、ＤＶＤ（Digital Versatile Disk）と、ＣＤ（Compact Disc）とに対応させる場合、ブルーレイ・ディスクに対しては４０５ナノメートル（ｎｍ）、ＤＶＤに対しては６５０ｎｍ、ＣＤに対しては７８０ｎｍの波長のレーザー光を出力するよう制御される。
【０００７】
ビームスプリッタ１２は、発光素子１１が出力する光を、対物レンズ体１４側へ導くとともに、媒体にて反射され、対物レンズ体１４を通じて入力される光を、フォトディテクタ１３側へ導く。フォトディテクタ１３は、例えばＮ×Ｎのマトリクス状に配置された複数の光検出素子を備える。また、このフォトディテクタ１３は、ビーム径を測定するため例えばシリンドリカルレンズを備える。ビームスプリッタ１２によって導かれた光は、このシリンドリカルレンズを介して、複数の受光素子のそれぞれに到達する。そして、フォトディテクタ１３は、複数の受光素子がそれぞれ検出した光の強度の信号をそれぞれ出力する。
【０００８】
対物レンズ体１４のホログラム素子１４Ｈは、対物レンズ体１４を介して導かれた、媒体にて反射されたレーザー光を、その波長ごとに予め定められた開口数（ＮＡ）となるよう回折させ、ビームスプリッタ１２へ導く。また、対物レンズ１４Ｌは、非球面レンズであり、ビームスプリッタ１２及びホログラム素子１４Ｈを通じて、発光素子１１から導かれたレーザー光を、その波長ごとに異なる所定の焦点距離Ｆだけ離れた位置で焦点を結ぶよう、屈折させて出力する。また、この対物レンズ１４Ｌは、媒体にて反射されたレーザー光を集光して、ホログラム素子１４Ｈへ導く。
【０００９】
この光学ピックアップ１は、光ディスク媒体の表面に対して略鉛直の方向に往復移動可能になっており、光ディスク媒体から信号を読み出すに先立って、その信号面にフォーカスを合わせる制御が行われる。すなわち、フォトディテクタ１３が出力する信号（ＲＦ信号）からは、光学ディスク媒体の記録面に対するレーザー光のフォーカスのずれを表す信号（フォーカスエラー信号；ＦＥ信号）と、受光素子に到達した光の強度の和の信号（プルイン信号；ＰＩ信号）とが生成される。なお、このフォトディテクタ１３が出力する信号からは、トラッキングエラーを表す信号（ＴＥ信号）等も生成されるのが普通であるが、ここでは詳細な説明を省略する。
【００１０】
ここでＦＥ信号は図８（ａ）に示すような信号である。すなわち、ＦＥ信号は、フォーカスが合っている場合に略「０」となる。また、フォーカスが合っている位置を中心として、光ディスク媒体と対物レンズ体１４との距離を変動させたとき、フォーカスが合っている位置から対物レンズ体１４が所定の距離だけ離れたときにそれぞれ正負にピークを有する信号である。以下、この信号波形をフォーカスエラー波形と呼ぶ。
【００１１】
また、ＰＩ信号は図８（ｂ）に示すような信号である。すなわち、このＰＩ信号は、フォーカスがあっている位置でピークを有する。図８（ａ），（ｂ）は、それぞれＦＥ信号及びＰＩ信号の概略を表す説明図である。
【００１２】
この光学ピックアップ１を用いると、対物レンズ１４Ｌの平面部Ｐから媒体内部の信号面までの距離が上記焦点距離Ｆとなるように、つまり、信号面にフォーカスを合わせることができるように、対物レンズ体１４と光ディスク媒体の表面との距離を制御することで、複数の光ディスク媒体に対応して信号を読み出すことが可能となる。ここで、フォーカスが合っているか否かは、上記ＦＥ信号及び／又はＰＩ信号を用い、例えば、ＦＥ信号の絶対値がピークを越えてから所定しきい値を下回った（「０」に近くなった）ときにフォーカスが合っていると判断する。またはＰＩ信号が所定のしきい値を越えたときにフォーカスが合っていると判断する。
【００１３】
なお、こうした光学ピックアップ１を用いた光ディスク装置では、光ディスク媒体に記録されたデータへのアクセスを行うに先立って、光ディスク媒体の種類を判別することが行われる。
【００１４】
このために、光ディスク媒体の表面から記録面までの距離を、フォーカス誤差信号を利用して計測し、光ディスク媒体の種類を判別する技術が開発されている（特許文献１）。
【特許文献１】特許２９８６５８７号
【発明の開示】
【発明が解決しようとする課題】
【００１５】
しかしながら、光ディスク媒体の多様化に伴い、複数の光ディスク媒体間で、それぞれの表面から記録面までの距離の差が比較的小さい種類の光ディスク媒体が現れている。例えば、ＣＤと、ＤＶＤとに対し、ＣＤとＤＶＤとを貼り合せた、Dual Discと呼ばれる光ディスク媒体が販売されている。
【００１６】
ＣＤは保護層の厚さが約１．２ｍｍであり、ＤＶＤは、保護層の厚さが約０．６ｍｍであるので、ＣＤとＤＶＤとを識別するのみであれば、しきい値を例えば１．０ｍｍと設定して、表面からこのしきい値未満の距離において信号面に結像した場合はＤＶＤであると判別し、そうでない場合はＣＤであると判別すればよい。
【００１７】
しかしDual Discは、保護層の厚さが０．９ｍｍであるので、この光ディスク媒体にも対応するためには、ＣＤとのしきい値を例えば０．９ｍｍと１．２ｍｍの間に、またＤＶＤとのしきい値を０．６ｍｍと０．９ｍｍとの間に設けなければならない。
【００１８】
一般に、光学ピックアップの対物レンズを光ディスク表面に対して移動させるアクチュエータは、温度などの環境によってその送り速度が変化することがあり、こうした送り速度の変化に配慮すると、０．３ｍｍ程度の間にしきい値を設けることは現実的でない。このように、ＤＶＤ、ＣＤ、Dual Discの識別は困難となってしまう。
【００１９】
本発明は上記実情に鑑みて為されたもので、表面から記録層までの厚さが比較的近接している光ディスク媒体間でも、その判別精度を向上できる光ディスク装置を提供することを、その目的の一つとする。
【課題を解決するための手段】
【００２０】
上記従来例の問題点を解決するための本発明は、光ディスク媒体に記録された信号を読み取る光ディスク装置であって、複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部と、前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、前記表面反射を検出した時点から、前記偽信号を検出するまでの時点までの第１時間と、前記表面反射を検出した時点から、前記データ記録層における反射光を検出した時点までの第２時間と、の比に基づき、光ディスク媒体の種類を判別する制御部と、を備えたことを特徴としている。
【００２１】
また、本発明の一態様は、複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置の制御方法であって、前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、前記表面反射を検出した時点から、前記偽信号を検出するまでの時点までの第１時間と、前記表面反射を検出した時点から、前記データ記録層における反射光を検出した時点までの第２時間と、の比に基づき、光ディスク媒体の種類を判別し、当該判別の結果を出力することを特徴としている。
【００２２】
さらに本発明の別態様に係るプログラムは、複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置を制御するコンピュータに、前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出する手順と、前記表面反射を検出した時点から、前記偽信号を検出するまでの時点までの第１時間と、前記表面反射を検出した時点から、前記データ記録層における反射光を検出した時点までの第２時間と、の比に基づき、光ディスク媒体の種類を判別する手順と、当該判別の結果に基づく所定処理と、を実行させることを特徴としている。
【発明を実施するための最良の形態】
【００２３】
本発明の実施の形態について図面を参照しながら説明する。本発明の実施の形態に係る光ディスク装置は、図１に示すように、媒体支持部２１、スピンドルモータ２２、光学ピックアップ２３、二軸アクチュエータ２４、送りモータ２５ａ、フォーカス制御アクチュエータ２５ｂ、ドライバアンプ２６、ＲＦアンプ２７、サーボ信号処理部２８、制御部２９、信号処理部３０、及びドライブコントローラ３１を備えている。
【００２４】
媒体支持部２１は、光ディスク媒体を回転可能に支持する。また、この媒体支持部２１は、スピンドルモータ２２から伝達される動力によって光ディスク媒体を回転させる。光学ピックアップ２３は、図７に示した光学ピックアップと同様のものであり、ここでは二軸アクチュエータ２４によって光ディスク媒体の動径方向、及び光ディスク媒体の面に垂直な方向の２つの方向（２軸）に移動可能になっている。
【００２５】
二軸アクチュエータ２４は送りモータ２５ａと、光ディスク媒体の面に鉛直な方向に光学ピックアップ２３を移動するアクチュエータ（フォーカス制御アクチュエータ）２５ｂを備える。フォーカス制御アクチュエータ２５ｂは、送りモータ２５ａにより、光ディスク媒体の動径方向に沿って移動される。また、フォーカス制御アクチュエータ２５ｂによって、光学ピックアップ２３に含まれる対物レンズ体１４と、光ディスク媒体の表面との距離が制御される。
【００２６】
ドライバアンプ２６は、送りモータ２５ａの回転量を制御する。また、このドライバアンプ２６は、サーボ信号処理部２８から入力される信号に従って、二軸アクチュエータ２４におけるフォーカス制御アクチュエータ２５ｂを駆動する。
【００２７】
ＲＦアンプ２７は、光学ピックアップ２３が出力する、複数の光検出素子の各々の出力信号に基づいてＦＥ信号及び／又はＰＩ信号を生成して出力する。サーボ信号処理部２８は、例えばＤＳＰ（Digital Signal Processer）を用いて実現でき、ＲＦアンプ２７が出力するＰＩ信号のピークを検出する。また、このＰＩ信号に対して、予め定められたＰＩ信号しきい値（ＦＯＫ；Focus OK）を越えたか否かを検出する。さらに、このサーボ信号処理部２８は、ＲＦアンプ２７が出力するＦＥ信号について、予め定められたＦＥ信号しきい値（ＦＺＣ；Focus Zero Cross）を用いた所定処理を行う。この処理については、後に詳しく述べる。サーボ信号処理部２８は、これら検出の結果や、所定処理の結果を制御部２９に出力する。
【００２８】
さらに、サーボ信号処理部２８は、制御部２９から入力される指示に従って、ドライバアンプ２６に対してフォーカス制御アクチュエータの駆動に係る信号を出力する。制御部２９は、例えばマイクロコンピュータであり、実行モジュールと記憶素子とを含む。この制御部２９の記憶素子には、実行するべきプログラムや各種パラメータが格納され、実行モジュールは、当該記憶素子に格納されたプログラムに従って処理を行う。この制御部２９は、サーボ信号処理部２８から入力される信号（ＰＩ信号のピーク検出の結果に関する信号や、ＦＥ信号に関する処理結果の信号）等の入力を受けて、これらの信号に基づき、信号面にフォーカスが合った位置に、光学ピックアップ２３と光ディスク媒体との距離を設定する処理（フォーカス制御処理）を実行する。このフォーカス制御処理については、後に詳しく述べる。
【００２９】
さらに、本実施の形態の制御部２９は、電源投入の際や、媒体支持部２１に新たな光ディスク媒体がセットされたときに、サーボ信号処理部２８と協働して、この光ディスク媒体の種別を判定する処理を実行する。この処理の具体的な内容については後に述べる。
【００３０】
信号処理部３０は、サーボ信号処理部２８が出力する信号に基づいて、光ディスク媒体に記録されていた信号を復調する。そしてこの信号処理部３０は復調した信号を出力する。
【００３１】
ドライブコントローラ３１は、ホストとなるパーソナルコンピュータや、家庭用ゲーム機本体、ないしはビデオデコーダ等に接続され、ホストからの要求に応じて、制御部２９を通じてドライバアンプ２６を駆動し、光学ピックアップ２３を、光ディスク媒体上の所望の位置へ移動させる。そして、信号処理部３０が出力する、光ディスク媒体に記録されていた信号から復調された信号を、ホスト側へ出力する。
【００３２】
ここで、サーボ信号処理部２８と制御部２９とによる光ディスク媒体の種別を判定する処理について説明する。本実施の形態では、このサーボ信号処理部２８と制御部２９とにより、ソフトウエア的に、光ディスク媒体の種別を判定する処理が実行される。
【００３３】
具体的な例としてサーボ信号処理部２８と制御部２９との動作によって、本実施の形態の光ディスク装置は、機能的には、図２に示すような構成を有する装置として動作する。すなわち、本実施の形態の光ディスク装置は、機能的に、パラメータ初期化部４１と、フォーカス制御アクチュエータ駆動部４２と、反射光検出部４３と、信号判定部４４と、第１計時部４５と、第２計時部４６と、判定部４７とを含んで構成される。
【００３４】
パラメータ初期化部４１は、光学ピックアップ２３が放射する光の波長を予め初期値として定められた値に設定する。また光学ピックアップ２３を光ディスク媒体の表面から最も離れた位置に移動させるよう、フォーカス制御アクチュエータ２５ｂを駆動する。パラメータ初期化部４１は、これらの初期化処理が終了すると、フォーカス制御アクチュエータ駆動部４２に処理開始信号を出力する。
【００３５】
フォーカス制御アクチュエータ駆動部４２は、処理開始信号の入力を受けると、予め定められた速度で、光学ピックアップ２３を光ディスク媒体に対して近接する方向に相対移動させる。
【００３６】
反射光検出部４３は、光学ピックアップ２３の移動に伴う、光学ピックアップ２３が出力するプルイン信号（ＰＩ信号）のピークを検出する。ＰＩ信号は、例えばＣＤ（Compact Disc）の場合を表す図３（ａ）に示すように、光学ピックアップ２３が光ディスク媒体表面に近接するにつれて、光学ピックアップ２３が放射する光が、光ディスク媒体表面で焦点を結ぶ位置に至り、表面反射光となって光学ピックアップ２３に入射する。このとき光学ピックアップ２３が出力するＰＩ信号は、ピークを有するカーブをなす。これにより光ディスク媒体表面での反射光が検出される（表面反射（Ｓ））。さらに光学ピックアップ２３を光ディスク媒体表面に近接させると、光学ピックアップ２３内で表面反射によって生じる（つまり記録層での反射によらない）不要光による偽信号（Ｆａｋｅ）が少なくとも一つ検出される。そして、さらに光学ピックアップ２３が光ディスク媒体に近接した位置において、光学ピックアップ２３により、信号面での反射光（Ｔ）が検出されることとなる。本実施の形態では、光ディスク媒体の種別が異なっても、光学ピックアップ２３の光ディスク媒体表面に対する位置が所定の位置近傍にあるときに、高い再現性をもって出現する信号を利用し、かかる信号の出現位置を基準として信号面での反射光の位置の測定精度を向上させるものである。ここでは、こうした信号として、レベルが比較的高く、表面反射に比較的近い位置で最初に検出される（一次の）偽信号（Ｆａｋｅ）を利用している。
【００３７】
反射光検出部４３は、このＰＩ信号の変化から光ディスク媒体での表面反射を検出し、表面反射が検出された時点で、表面反射検出信号を出力する。
【００３８】
信号判定部４４は、ＰＩ信号の変化から偽信号（Ｆａｋｅ）を検出し、偽信号（Ｆａｋｅ）を検出した時点で第１計時部４５に対して第１計時信号を出力する。一般に偽信号（Ｆａｋｅ）は複数現れるが、予め定めたしきい値以上の強度を有するＰＩ信号のピークを最初に検出した時点で第１計時信号を出力すればよい。また、この信号判定部４４は、第１計時信号を出力した後のＰＩ信号の変化から信号面での反射光を検出する。そして、この信号面での反射光を検出すると、第２計時部４６に対して第２計時信号を出力する。信号判定部４４は、偽信号（Ｆａｋｅ）を検出した時点から所定の期間だけ、ＰＩ信号からピークを検出しないようにしてもよい。ここで所定の期間は、第１計時部４５が出力する第１時刻情報を用いて、当該第１時刻情報に予め規定された定数を乗じた時間としてもよい。この場合、偽信号（Ｆａｋｅ）を検出した時点から上記所定の期間が経過してから信号面での反射に伴うＰＩ信号のピークを検出するようになり、複数の偽信号の一部を信号面での反射として誤検出することを防止できる。
【００３９】
また、信号判定部４４がＰＩ信号からピークの検出を行わない期間は、光学ピックアップ２３の対物レンズと光ディスク媒体との距離が予め定めた距離範囲に至るまでの期間として定めてもよい。この場合、例えば信号判定部４４がＰＩ信号からピークを検出する期間を、光学ピックアップ２３の対物レンズと光ディスク媒体との距離が予め定めた距離範囲（Ｐmaskから、Ｐlimit（Ｐlimit＞Ｐmask）まで）にある間として規定しておく。そして、この距離範囲と、偽信号（Ｆａｋｅ）が現れる位置として予め設定されている位置Ｐfakeとを用いて、
Ｔmask＝Ｔfake1×Ｐmask／Ｐfake1
Ｔlimit＝Ｔfake1×Ｐlimit／Ｐfake1
を算出し、信号判定部４４は、このＴmaskからＴlimitの期間でＰＩ信号からピークを検出するようにしてもよい。
【００４０】
第１計時部４５は、タイマーであり、表面反射検出信号が入力された時点から計時を開始し、第１計時信号が入力される時点で計時を終了し、計時を終了した時点での時刻の情報（第１時刻情報）を判定部４７に出力する。第２計時部４６もまた、タイマーであり、表面反射検出信号が入力された時点から計時を開始し、第２計時信号が入力される時点で計時を終了し、計時を終了した時点での時刻の情報（第２時刻情報）を判定部４７に出力する。
【００４１】
判定部４７は、第１計時部４５が出力する第１時刻情報と第２計時部４６が出力する第２時刻情報とに基づいて、光ディスク媒体の種類を判別する処理を行う。具体的な例として本実施の形態においては、制御部２９の記憶部に、図４に示すように、光ディスク媒体の種別ごとに、それぞれ対応する第１時刻情報Ｔ１と第２時刻情報Ｔ２との比Ｔ２／Ｔ１の範囲（下限及び上限）を関連づけたテーブルを格納しておく。
【００４２】
判定部４７は、図５に示すように、第１計時部４５が出力する第１時刻情報Ｔ１と第２計時部４６が出力する第２情報Ｔ２との比Ｔ２／Ｔ１を演算する（Ｓ１）。そして判定部４７は、図４に示したテーブルを記憶部から読み出して（Ｓ２）、光ディスク媒体の種別の一つを注目種別として選択し（Ｓ３）、当該注目種別に関連づけられた上限値Ｈ、下限値Ｌをテーブルから読み取る（Ｓ４）。
【００４３】
判定部４７は、Ｈ≧Ｔ２／Ｔ１＞Ｌとなるか否かを判断し（Ｓ５）、なっていなければ、処理Ｓ３に戻って、未だ注目種別として選択されていない、別の光ディスク媒体の種別の一つを注目種別として選択する処理から繰り返す。
【００４４】
一方、処理Ｓ５において、Ｈ≧Ｔ２／Ｔ１＞Ｌを満足していれば、光ディスク媒体は、その時点の注目種別によって特定される媒体であったものとして、種別を表す情報を出力する（Ｓ６）。
【００４５】
図３（ａ）から（ｃ）にそれぞれ示した、ＣＤ、Dual Disc、ＤＶＤにおける本実施の形態の光ディスク装置での判定例について実測値に基づいて説明する。以下の説明では偽信号（Ｆａｋｅ）が測定される位置が表面から０．４ｍｍであるとする。
【００４６】
まず、ＣＤにおいては、表面反射（Ｓ）から偽信号（Ｆａｋｅ）が測定されるまでの時間Ｔ１＝２０ミリ秒、表面反射（Ｓ）から信号面での反射が測定されるまでの時間Ｔ２＝６１ミリ秒であった。この場合、保護層の厚み、つまり表面から信号面までの距離は、
０．４×６１／２０＝１．２２ｍｍ
と計算される。
【００４７】
またＤＶＤでは、表面反射（Ｓ）から偽信号（Ｆａｋｅ）が測定されるまでの時間Ｔ１＝２０ミリ秒、表面反射（Ｓ）から信号面での反射が測定されるまでの時間Ｔ２＝３２ミリ秒であった。この場合、保護層の厚み、つまり表面から信号面までの距離は、
０．４×３２／２０＝０．６４ｍｍ
と計算される。
【００４８】
さらにDual Discに対しては、表面反射（Ｓ）から偽信号（Ｆａｋｅ）が測定されるまでの時間Ｔ１＝２０ミリ秒、表面反射（Ｓ）から信号面での反射が測定されるまでの時間Ｔ２＝４５ミリ秒であった。この場合、保護層の厚み、つまり表面から信号面までの距離は、
０．４×４５／２０＝０．８９ｍｍ
と計算される。
【００４９】
本実施の形態では、環境の条件によってフォーカス制御アクチュエータ２５ｂによる、光学ピックアップ２３の対物レンズの送り速度が変動しても、その変動の影響を受けない位置にある偽信号の検出位置を用いることで、送り速度の変動によらずに表面から信号面までの距離を測定できることとなり、光ディスク媒体の種別の判定の精度を向上できる。
【００５０】
ここで本実施の形態の光ディスク装置の具体的な動作例として、ブルーレイディスク（ＢＤ）と、コンパクトディスク（ＣＤ）と、ＤＶＤと、Dual Discとの種別を判定する動作例について説明する。
【００５１】
本実施の形態では光ディスク装置は、図６に示すように、短波長の光源を用いる光ディスク媒体から順に種別を確認する。すなわち、まず光ディスク装置は、ＢＤに対応する波長の光（４０５ｎｍ）を放射するよう光学ピックアップ２３を制御し、ＢＤであるか否かの確認を行う（Ｓ１１）。ここでＢＤであると判定されると、光ディスク装置は、セットされている光ディスク媒体がＢＤであるとして、信号の読み取りなどを続行する（Ｓ１２）。
【００５２】
また、処理Ｓ１１において、ＢＤでないと判断されると、光ディスク装置はＤＶＤに対応する波長の光（６５０ｎｍ）を放射するよう、光学ピックアップ２３を制御し、ＤＶＤとして再生を試みる（Ｓ１３）。ここでＤＶＤとしての再生に失敗すると、光ディスク装置は、図５に示した処理を開始し、セットされた光ディスク媒体に対して、予め定められた距離から略一定の速度で光学ピックアップ２３の対物レンズを接近させつつ、表面反射が検出された時点から、一次の偽信号（Ｆａｋｅ）が検出されるまでの時間Ｔ１と、表面反射が検出された時点から、信号面での反射が検出されるまでの時間Ｔ２とに基づく光ディスク媒体の種別の判定を行う（Ｓ１４：判別処理）。
【００５３】
そして、この処理の結果、判定された光ディスク媒体として、信号面からの読み取りを行う（Ｓ１５）。また、処理Ｓ１３においてＤＶＤとしての再生に成功したときには、ＤＶＤとしての再生を継続する（Ｓ１６）。
【００５４】
なお、処理Ｓ１３においては、ＤＶＤであるかＣＤであるかの判別を従来通り行ってもよい。この場合、当該時点でＣＤであると判別されたときには、ＣＤとして信号の読み取りを行う。ＤＣＤであると判別したときには、ＤＶＤとしての再生を試行し、再生に成功したときには、ＤＶＤとしての再生を継続する。そしてＤＶＤとしての再生に失敗したときに、処理Ｓ１４に移行して処理を続ける。さらに、処理Ｓ１１において、セットされている光ディスク媒体がＢＤでないと判断されたときに、直ちに処理Ｓ１４に移行するようにしてもよく、この処理Ｓ１３は必ずしも必要ではない。
【図面の簡単な説明】
【００５５】
【図１】本発明の実施の形態に係る光ディスク装置の構成例を表すブロック図である。
【図２】本発明の実施の形態に係る光ディスク装置の例を表す機能ブロック図である。
【図３】本発明の実施の形態に係る光ディスク装置において検出されるＰＩ信号の例を表す説明図である。
【図４】本発明の実施の形態に係る光ディスク装置で利用される、判定の基準を保持するテーブルの例を表す説明図である。
【図５】本発明の実施の形態に係る光ディスク装置における判別処理の例を表すフローチャート図である。
【図６】本発明の実施の形態に係る光ディスク装置が実行する、光ディスク媒体の種別を判断する処理の流れの例を表すフローチャート図である。
【図７】光学ピックアップの構成例を表す概要図である。
【図８】フォーカスが合っている位置近傍でのフォーカスエラー信号とプルイン信号との概要を表す説明図である。
【符号の説明】
【００５６】
１１  発光素子、１２  ビームスプリッタ、１３  フォトディテクタ、１４  対物レンズ体、２１  媒体支持部、２２  スピンドルモータ、２３  光学ピックアップ、２４  二軸アクチュエータ、２５  送りモータ、２６  ドライバアンプ、２７  ＲＦアンプ、２８  サーボ信号処理部、２９  制御部、３０  信号処理部、３１  ドライブコントローラ、４１  パラメータ初期化部、４２  フォーカス制御アクチュエータ駆動部、４３  反射光検出部、４４  信号判定部、４５  第１計時部、４６  第２計時部、４７  判定部。
【図１】
2008033984.tif 000003
【図２】
2008033984.tif 000004
【図３】
2008033984.tif 000005
【図４】
2008033984.tif 000006
【図５】
2008033984.tif 000007
【図６】
2008033984.tif 000008
【図７】
2008033984.tif 000009
【図８】
2008033984.tif 000010
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
光ディスク媒体に記録された信号を読み取る光ディスク装置であって、
複数の互いに異なる波長のうち、いずれか一つの波長の光を選択的に、一つの対物レンズを通じて光ディスクに照射し、光ディスクでの反射光に基づく信号を出力する光学ピックアップと、
前記光学ピックアップの対物レンズを、光ディスク媒体面に対して相対移動させる駆動部と、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、
前記表面反射を検出した時点から、前記偽信号を検出するまでの時点までの第１時間と、
前記表面反射を検出した時点から、前記データ記録層における反射光を検出した時点までの第２時間と、
の比に基づき、光ディスク媒体の種類を判別する制御部と、
を備えたことを特徴とする光ディスク装置。
【請求項２】
複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置の制御方法であって、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出し、
前記表面反射を検出した時点から、前記偽信号を検出するまでの時点までの第１時間と、
前記表面反射を検出した時点から、前記データ記録層における反射光を検出した時点までの第２時間と、
の比に基づき、光ディスク媒体の種類を判別し、当該判別の結果を出力する
ことを特徴とする光ディスク装置の制御方法。
【請求項３】
複数の互いに異なる波長のうち、いずれか一つの波長の光を選択的に、一つの対物レンズを通じて光ディスクに照射し、光ディスクでの反射光に基づく信号を出力する光学ピックアップと、前記光学ピックアップの対物レンズを、光ディスク媒体面に対して相対移動させる駆動部とを備える光ディスク装置を制御するコンピュータに、
前記駆動部により、前記対物レンズを光ディスク媒体面に対して相対移動させながら、光ディスク媒体面での表面反射に基づく信号と、前記表面反射に基づいて生じる偽信号と、光ディスク媒体のデータ記録層における反射光に基づく信号とを検出する手順と、
前記表面反射を検出した時点から、前記偽信号を検出するまでの時点までの第１時間と、前記表面反射を検出した時点から、前記データ記録層における反射光を検出した時点までの第２時間と、の比に基づき、光ディスク媒体の種類を判別する手順と、
当該判別の結果に基づく所定処理と、
を実行させることを特徴とするプログラム。